(57)【要約】【課題】画面の焼き付きなどを防止する。【解決手段】無線通信部２２は、映像無線送信装置１１から無線通信により送信されてくる映像を受信し、無線制御部２３は、無線通信部２２が通信エラーにより正常に受信することができなかった映像があるか否かを判定し、無線通信部２２が正常に受信することができなかった映像があると判定された場合、誤り検出カウンタ２４のカウント値をインクリメントする。そして、デバイス制御部２７は、所定の単位時間あたりの誤り検出カウンタ２４のカウント値が、所定の閾値以上であるか否かを判定し、カウント値が所定の閾値以上であると判定した場合、表示デバイス１３の映像の表示を停止させる。本発明は、例えば、無線通信により映像を転送する映像表示システムに適用できる。【選択図】図１
2008009108.tif 000002
【特許請求の範囲】
【請求項１】
映像を無線通信により送信する映像送信装置からの前記映像を、映像を表示する表示装置に表示させる表示制御装置において、
前記映像送信装置から無線通信により送信されてくる前記映像を受信する受信手段と、
前記映像送信装置と前記受信手段との間の通信エラーにより、前記受信手段が正常に受信することができなかった映像があるか否かを判定する通信エラー判定手段と、
前記通信エラー判定手段により前記受信手段が正常に受信することができなかった映像があると判定された場合、前記受信手段が正常に受信することができなかった映像の再送を、前記映像送信装置に要求する再送要求手段と、
前記再送要求手段により前記映像の再送が要求された所定の単位時間あたりの回数を表す再送頻度が、所定の閾値以上であるか否かを判定する再送頻度判定手段と、
前記再送頻度判定手段により前記再送頻度が所定の閾値以上であると判定された場合、前記表示装置の表示の輝度を制限する制御を行う制御手段と
を備える表示制御装置。
【請求項２】
前記制御手段は、前記表示装置の表示の輝度を制限する制御として、前記表示装置の画面の輝度を低減させる制御を行う
請求項１に記載の表示制御装置。
【請求項３】
前記制御手段は、前記表示装置の表示の輝度を制限する制御として、前記表示装置が映像を表示する処理を停止させる制御を行う
請求項１に記載の表示制御装置。
【請求項４】
前記制御手段は、前記表示装置の表示の輝度が制限されている場合において、前記再送頻度判定手段により、前記再送頻度が所定の閾値以上でないと判定されたとき、前記表示装置の表示の輝度の制限を解除する制御を行う
請求項１に記載の表示制御装置。
【請求項５】
前記映像送信装置は、所定の方式で符号化された映像を送信し、
前記受信手段が受信した前記映像を復号する復号手段をさらに備え、
前記復号手段は、前記映像を復号するにあたって、前記映像にエラーが発生しているか否かを判定し、
前記再送要求手段は、前記復号手段により前記映像にエラーが発生していると判定された場合、エラーが発生していると判定された前記映像の再送を、前記映像送信装置に要求する
請求項１に記載の表示制御装置。
【請求項６】
映像を無線通信により送信する映像送信装置からの前記映像を、映像を表示する表示装置に表示させる表示制御装置の制御方法において、
前記表示制御装置は、前記映像送信装置から無線通信により送信されてくる前記映像を受信する受信手段を備え、
前記映像送信装置と前記受信手段との間の通信エラーにより、前記受信手段が正常に受信することができなかった映像があるか否かを判定し、
前記受信手段が正常に受信することができなかった映像があると判定された場合、前記受信手段が正常に受信することができなかった映像の再送を、前記映像送信装置に要求し、
前記映像の再送が要求された所定の単位時間あたりの回数を表す再送頻度が、所定の閾値以上であるか否かを判定し、
前記再送頻度が所定の閾値以上であると判定された場合、前記表示装置の表示の輝度を制限する制御を行う
ステップを含む制御方法。
【請求項７】
映像を無線通信により送信する映像送信装置からの前記映像を、映像を表示する表示装置に表示させる表示制御処理をコンピュータに実行させるプログラムにおいて、
前記コンピュータは、前記映像送信装置から無線通信により送信されてくる前記映像を受信する受信手段を備え、
前記映像送信装置と前記受信手段との間の通信エラーにより、前記受信手段が正常に受信することができなかった映像があるか否かを判定し、
前記受信手段が正常に受信することができなかった映像があると判定された場合、前記受信手段が正常に受信することができなかった映像の再送を、前記映像送信装置に要求し、
前記映像の再送が要求された所定の単位時間あたりの回数を表す再送頻度が、所定の閾値以上であるか否かを判定し、
前記再送頻度が所定の閾値以上であると判定された場合、前記表示装置の表示の輝度を制限する制御を行う
ステップを含むプログラム。
【請求項８】
映像を無線通信により送信する映像送信装置からの前記映像を、映像を表示する表示装置に表示させる表示制御装置において、
前記映像送信装置から無線通信により送信されてくる前記映像を受信する受信手段と、
前記映像送信装置と前記受信手段との間の通信エラーにより、前記受信手段が正常に受信することができなかった映像があるか否かを判定する通信エラー判定手段と、
前記通信エラー判定手段により前記受信手段が正常に受信することができなかった映像があると判定された場合、前記受信手段が正常に受信することができなかった映像の再送を、前記映像送信装置に要求する再送要求手段と、
前記再送要求手段により前記映像の再送が要求された所定の単位時間あたりの回数を表す再送頻度が、所定の閾値以上であるか否かを判定する再送頻度判定手段と、
前記再送頻度判定手段により、前記再送頻度が所定の閾値以上であると判定された場合、前記表示装置にスクリーンセーバを表示させるスクリーンセーバ表示手段と
を備える表示制御装置。
【請求項９】
前記スクリーンセーバ表示手段は、前記表示装置にスクリーンセーバが表示されている場合において、前記再送頻度判定手段により、前記再送頻度が所定の閾値以上でないと判定されたとき、前記表示装置のスクリーンセーバの表示を解除する
請求項８に記載の表示制御装置。
【請求項１０】
前記映像送信装置は、所定の方式で符号化された映像を送信し、
前記受信手段が受信した前記映像を復号する復号手段をさらに備え、
前記復号手段は、前記映像を復号するにあたって、前記映像にエラーが発生しているか否かを判定し、
前記再送要求手段は、前記復号手段により前記映像にエラーが発生していると判定された場合、エラーが発生していると判定された前記映像の再送を、前記映像送信装置に要求する
請求項８に記載の表示制御装置。
【請求項１１】
映像を無線通信により送信する映像送信装置からの前記映像を、映像を表示する表示装置に表示させる表示制御装置の制御方法において、
前記表示制御装置は、前記映像送信装置から無線通信により送信されてくる前記映像を受信する受信手段を備え、
前記映像送信装置と前記受信手段との間の通信エラーにより、前記受信手段が正常に受信することができなかった映像があるか否かを判定し、
前記受信手段が正常に受信することができなかった映像があると判定された場合、前記受信手段が正常に受信することができなかった映像の再送を、前記映像送信装置に要求し、
前記映像の再送が要求された所定の単位時間あたりの回数を表す再送頻度が、所定の閾値以上であるか否かを判定し、
前記再送頻度が所定の閾値以上であると判定された場合、前記表示装置にスクリーンセーバを表示させる
ステップを含む制御方法。
【請求項１２】
映像を無線通信により送信する映像送信装置からの前記映像を、映像を表示する表示装置に表示させる表示制御処理をコンピュータに実行させるプログラムにおいて、
前記コンピュータは、前記映像送信装置から無線通信により送信されてくる前記映像を受信する受信手段を備え、
前記映像送信装置と前記受信手段との間の通信エラーにより、前記受信手段が正常に受信することができなかった映像があるか否かを判定し、
前記受信手段が正常に受信することができなかった映像があると判定された場合、前記受信手段が正常に受信することができなかった映像の再送を、前記映像送信装置に要求し、
前記映像の再送が要求された所定の単位時間あたりの回数を表す再送頻度が、所定の閾値以上であるか否かを判定し、
前記再送頻度が所定の閾値以上であると判定された場合、前記表示装置にスクリーンセーバを表示させる
ステップを含むプログラム。
【発明の詳細な説明】
【技術分野】
【０００１】
本発明は、表示制御装置および制御方法、並びにプログラムに関し、特に、映像を表示する表示装置の画面の焼き付きを防止すること等ができるようにした表示制御装置および制御方法、並びにプログラムに関する。
【背景技術】
【０００２】
従来、CRT（Cathode Ray Tube）などの表示装置では、長時間にわたって同一の映像が表示されていると、その画面に焼き付きが発生する。このような画面の焼き付きを防止する方法としては、表示装置が、自身に入力される映像を解析して、同一の映像が一定の時間表示されているか否かを判定し、同一の映像が一定の時間表示されていると判定された場合に、例えば、画面の輝度を低減させる方法、映像の表示を停止させる方法、または、画面にスクリーンセーバを表示させる方法などがある。
【０００３】
また、画面の焼き付きを防止する方法として、特許文献１には、画面に表示された映像の輝度レベルの累積値に基づいて、画面に、逆特性の輝度レベルからなる映像を一定時間表示させる方法が開示されている。
【０００４】
さらに、画面の焼き付きを防止する方法として、特許文献２には、同一の映像が一定の時間表示されていると判定された場合に、表示すべき情報を欠かすことなく、映像の所定の領域が縮小または拡大するように表示を変化させる方法が開示されている。
【０００５】
また、例えば、所定の符号化方式で圧縮されて送信されてきた映像を受信して伸張するとともに、映像の欠落した箇所を検出し、その箇所を適正に補正して、映像を表示する表示装置がある（例えば、特許文献３参照）。
【０００６】
【特許文献１】特開２００１−１３９４２号公報
【特許文献２】特開２００６−４８０６８号公報
【特許文献３】特開２００５−３１１７４６号公報
【発明の開示】
【発明が解決しようとする課題】
【０００７】
ところで、従来、表示装置は、片方向通信により映像を受信し、例えば、テレビジョン放送などのように一方向に送信されてくる映像を受信し、その映像の全画面を解析して、同一の映像が一定時間表示されているか否かを判定することにより、画面の焼き付きを防止していた。
【０００８】
これに対し、近年では、映像を送信する映像送信装置と、映像送信装置からの映像を受信する表示装置とが、双方向通信を行い、表示装置が、双方向通信により映像送信装置から送信されてくる映像を表示する映像表示システムが提案されている。かかる映像表示システムについては、表示装置が、双方向通信により受信した映像を表示するにあたり、片方向通信により映像を受信する表示装置とは異なった画面の焼き付き防止方法、即ち、双方向通信により受信した映像を表示する表示装置に適した画面の焼き付き防止方法の提案が要請されていた。
【０００９】
本発明は、このような状況に鑑みてなされたものであり、双方向通信により受信した映像を表示する表示装置に適した方法で、画面の焼き付きを防止することができるようにするものである。
【課題を解決するための手段】
【００１０】
本発明の第１の側面の表示制御装置は、映像を無線通信により送信する映像送信装置からの前記映像を、映像を表示する表示装置に表示させる表示制御装置であって、前記映像送信装置から無線通信により送信されてくる前記映像を受信する受信手段と、前記映像送信装置と前記受信手段との間の通信エラーにより、前記受信手段が正常に受信することができなかった映像があるか否かを判定する通信エラー判定手段と、前記通信エラー判定手段により前記受信手段が正常に受信することができなかった映像があると判定された場合、前記受信手段が正常に受信することができなかった映像の再送を、前記映像送信装置に要求する再送要求手段と、前記再送要求手段により前記映像の再送が要求された所定の単位時間あたりの回数を表す再送頻度が、所定の閾値以上であるか否かを判定する再送頻度判定手段と、前記再送頻度判定手段により前記再送頻度が所定の閾値以上であると判定された場合、前記表示装置の表示の輝度を制限する制御を行う制御手段とを備える。
【００１１】
本発明の第１の側面の制御方法またはプログラムは、映像を無線通信により送信する映像送信装置からの前記映像を、映像を表示する表示装置に表示させる表示制御装置の制御方法、または、映像を無線通信により送信する映像送信装置からの前記映像を、映像を表示する表示装置に表示させる表示制御処理をコンピュータに実行させるプログラムであって、前記表示制御装置または前記コンピュータは、前記映像送信装置から無線通信により送信されてくる前記映像を受信する受信手段を備え、前記映像送信装置と前記受信手段との間の通信エラーにより、前記受信手段が正常に受信することができなかった映像があるか否かを判定し、前記受信手段が正常に受信することができなかった映像があると判定された場合、前記受信手段が正常に受信することができなかった映像の再送を、前記映像送信装置に要求し、前記映像の再送が要求された所定の単位時間あたりの回数を表す再送頻度が、所定の閾値以上であるか否かを判定し、前記再送頻度が所定の閾値以上であると判定された場合、前記表示装置の表示の輝度を制限する制御を行うステップを含む。
【００１２】
本発明の第１の側面においては、表示制御装置またはコンピュータは、映像送信装置から無線通信により送信されてくる映像を受信する受信手段を備えている。そして、映像送信装置と受信手段との間の通信エラーにより、受信手段が正常に受信することができなかった映像があるか否かが判定され、受信手段が正常に受信することができなかった映像があると判定された場合、受信手段が正常に受信することができなかった映像の再送が、映像送信装置に要求される。また、映像の再送が要求された所定の単位時間あたりの回数を表す再送頻度が、所定の閾値以上であるか否かが判定され、再送頻度が所定の閾値以上であると判定された場合、表示装置の表示の輝度が制限される。
【００１３】
本発明の第２の側面の表示制御装置は、映像を無線通信により送信する映像送信装置からの前記映像を、映像を表示する表示装置に表示させる表示制御装置であって、前記映像送信装置から無線通信により送信されてくる前記映像を受信する受信手段と、前記映像送信装置と前記受信手段との間の通信エラーにより、前記受信手段が正常に受信することができなかった映像があるか否かを判定する通信エラー判定手段と、前記通信エラー判定手段により前記受信手段が正常に受信することができなかった映像があると判定された場合、前記受信手段が正常に受信することができなかった映像の再送を、前記映像送信装置に要求する再送要求手段と、前記再送要求手段により前記映像の再送が要求された所定の単位時間あたりの回数を表す再送頻度が、所定の閾値以上であるか否かを判定する再送頻度判定手段と、前記再送頻度判定手段により、前記再送頻度が所定の閾値以上であると判定された場合、前記表示装置にスクリーンセーバを表示させるスクリーンセーバ表示手段とを備える。
【００１４】
本発明の第２の側面の制御方法またはプログラムは、映像を無線通信により送信する映像送信装置からの前記映像を、映像を表示する表示装置に表示させる表示制御装置の制御方法、または、映像を無線通信により送信する映像送信装置からの前記映像を、映像を表示する表示装置に表示させる表示制御処理をコンピュータに実行させるプログラムであって、前記表示制御装置または前記コンピュータは、前記映像送信装置から無線通信により送信されてくる前記映像を受信する受信手段を備え、前記映像送信装置と前記受信手段との間の通信エラーにより、前記受信手段が正常に受信することができなかった映像があるか否かを判定し、前記受信手段が正常に受信することができなかった映像があると判定された場合、前記受信手段が正常に受信することができなかった映像の再送を、前記映像送信装置に要求し、前記映像の再送が要求された所定の単位時間あたりの回数を表す再送頻度が、所定の閾値以上であるか否かを判定し、前記再送頻度が所定の閾値以上であると判定された場合、前記表示装置にスクリーンセーバを表示させるステップを含む。
【００１５】
本発明の第２の側面においては、表示制御装置またはコンピュータは、映像送信装置から無線通信により送信されてくる映像を受信する受信手段を備えている。そして、映像送信装置と受信手段との間の通信エラーにより、受信手段が正常に受信することができなかった映像があるか否かが判定され、受信手段が正常に受信することができなかった映像があると判定された場合、受信手段が正常に受信することができなかった映像の再送が、映像送信装置に要求される。また、映像の再送が要求された所定の単位時間あたりの回数を表す再送頻度が、所定の閾値以上であるか否かが判定され、再送頻度が所定の閾値以上であると判定された場合、表示装置にスクリーンセーバが表示される。
【発明の効果】
【００１６】
本発明の第１および第２の側面によれば、画面の焼き付き等を防止することができる。
【発明を実施するための最良の形態】
【００１７】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１８】
本発明の第１の側面の表示制御装置は、
映像を無線通信により送信する映像送信装置（例えば、図１の映像無線送信装置１１）からの前記映像を、映像を表示する表示装置（例えば、図１の表示デバイス１３）に表示させる表示制御装置（例えば、図１の表示制御装置１２）であって、
前記映像送信装置から無線通信により送信されてくる前記映像を受信する受信手段（例えば、図１の無線通信部２２）と、
前記映像送信装置と前記受信手段との間の通信エラーにより、前記受信手段が正常に受信することができなかった映像があるか否かを判定する通信エラー判定手段（例えば、図２のステップＳ１３の処理を実行する図１の無線制御部２３）と、
前記通信エラー判定手段により前記受信手段が正常に受信することができなかった映像があると判定された場合、前記受信手段が正常に受信することができなかった映像の再送を、前記映像送信装置に要求する再送要求手段（例えば、図２のステップＳ１７の処理を実行する図１の無線制御部２３）と、
前記再送要求手段により前記映像の再送が要求された所定の単位時間あたりの回数を表す再送頻度が、所定の閾値以上であるか否かを判定する再送頻度判定手段（例えば、図３のステップＳ２１およびＳ２２の処理を実行する図１のデバイス制御部２７）と、
前記再送頻度判定手段により前記再送頻度が所定の閾値以上であると判定された場合、前記表示装置の表示の輝度を制限する制御を行う制御手段（例えば、図３のステップＳ２３の処理を実行する図１のデバイス制御部２７）と
を備える。
【００１９】
また、本発明の第１の側面の表示制御装置は、
前記映像送信装置は、所定の方式で符号化された映像を送信し、
前記受信手段が受信した前記映像を復号する復号手段（図５の映像デコード部５３）をさらに備え、
前記復号手段は、前記映像を復号するにあたって、前記映像にエラーが発生しているか否かを判定し、
前記再送要求手段は、前記復号手段により前記映像にエラーが発生していると判定された場合、エラーが発生していると判定された前記映像の再送を、前記映像送信装置に要求する
ことができる。
【００２０】
本発明の第１の側面の表示制御方法、またはプログラムは、
映像を無線通信により送信する映像送信装置からの前記映像を、映像を表示する表示装置に表示させる表示制御装置の制御方法、または、映像を無線通信により送信する映像送信装置からの前記映像を、映像を表示する表示装置に表示させる表示制御処理をコンピュータに実行させるプログラムであって、
前記表示制御装置またはコンピュータは、前記映像送信装置から無線通信により送信されてくる前記映像を受信する受信手段（例えば、図１の無線通信部２２）を備え、
前記映像送信装置と前記受信手段との間の通信エラーにより、前記受信手段が正常に受信することができなかった映像があるか否かを判定し（例えば、図２のステップＳ１３）、
前記受信手段が正常に受信することができなかった映像があると判定された場合、前記受信手段が正常に受信することができなかった映像の再送を、前記映像送信装置に要求し（例えば、図２のステップＳ１７）、
前記映像の再送が要求された所定の単位時間あたりの回数を表す再送頻度が、所定の閾値以上であるか否かを判定し（例えば、図３のステップＳ２１およびＳ２２）、
前記再送頻度が所定の閾値以上であると判定された場合、前記表示装置の表示の輝度を制限する制御を行う（例えば、図３のステップＳ２３）
ステップを含む。
【００２１】
本発明の第２の側面の表示制御装置は、
映像を無線通信により送信する映像送信装置（例えば、図１の映像無線送信装置１１）からの前記映像を、映像を表示する表示装置（例えば、図１の表示デバイス１３）に表示させる表示制御装置（例えば、図１の表示制御装置１２）において、
前記映像送信装置から無線通信により送信されてくる前記映像を受信する受信手段（例えば、図１の無線通信部２２）と、
前記映像送信装置と前記受信手段との間の通信エラーにより、前記受信手段が正常に受信することができなかった映像があるか否かを判定する通信エラー判定手段（例えば、図２のステップＳ１３の処理を実行する図１の無線制御部２２）と、
前記通信エラー判定手段により前記受信手段が正常に受信することができなかった映像があると判定された場合、前記受信手段が正常に受信することができなかった映像の再送を、前記映像送信装置に要求する再送要求手段（例えば、図２のステップＳ１７の処理を実行する図１の無線制御部２３）と、
前記再送要求手段により前記映像の再送が要求された所定の単位時間あたりの回数を表す再送頻度が、所定の閾値以上であるか否かを判定する再送頻度判定手段（例えば、図４のステップＳ３１およびＳ３２の処理を実行する図１のデバイス制御部２７）と、
前記再送頻度判定手段により、前記再送頻度が所定の閾値以上であると判定された場合、前記表示装置にスクリーンセーバを表示させるスクリーンセーバ表示手段（例えば、図４のステップＳ３３の処理を実行する図１のデバイス制御部２７）と
を備える。
【００２２】
本発明の第２の側面の表示制御装置は、
前記映像送信装置は、所定の方式で符号化された映像を送信し、
前記受信手段が受信した前記映像を復号する復号手段（図５の映像デコード部５３）をさらに備え、
前記復号手段は、前記映像を復号するにあたって、前記映像にエラーが発生しているか否かを判定し、
前記再送要求手段は、前記復号手段により前記映像にエラーが発生していると判定された場合、エラーが発生していると判定された前記映像の再送を、前記映像送信装置に要求する
ことができる。
【００２３】
本発明の第２の側面の表示制御方法、またはプログラムは、
映像を無線通信により送信する映像送信装置からの前記映像を、映像を表示する表示装置に表示させる表示制御装置の制御方法、または、映像を無線通信により送信する映像送信装置からの前記映像を、映像を表示する表示装置に表示させる表示制御処理をコンピュータに実行させるプログラムにおいて、
前記表示制御装置またはプログラムは、前記映像送信装置から無線通信により送信されてくる前記映像を受信する受信手段（例えば、図１の無線通信部２２）を備え、
前記映像送信装置と前記受信手段との間の通信エラーにより、前記受信手段が正常に受信することができなかった映像があるか否かを判定し（例えば、図２のステップＳ１３）、
前記受信手段が正常に受信することができなかった映像があると判定された場合、前記受信手段が正常に受信することができなかった映像の再送を、前記映像送信装置に要求し（例えば、図２のステップＳ１７）、
前記映像の再送が要求された所定の単位時間あたりの回数を表す再送頻度が、所定の閾値以上であるか否かを判定し（例えば、図４のステップＳ３１およびＳ３２）、
前記再送頻度が所定の閾値以上であると判定された場合、前記表示装置にスクリーンセーバを表示させる（例えば、図４のステップＳ３３）
ステップを含む。
【００２４】
以下、本発明を適用した具体的な実施の形態について、図面を参照しながら詳細に説明する。
【００２５】
図１は、本発明を適用した映像表示システム（システムとは、複数の装置が論理的に結合したもの物をいい、各構成の装置が同一筐体中にあるか否かは問わない）の一実施の形態の構成例を示すブロック図である。
【００２６】
図１において、映像表示システムは、映像無線送信装置１１、表示制御装置１２、および表示デバイス１３から構成される。
【００２７】
映像無線送信装置１１には、例えば、図示しないチューナから、MPEG(Moving Picture Experts Group)などの所定の方式でエンコード（符号化）された映像が供給され、映像無線送信装置１１は、その映像を、無線通信により表示制御装置１２に送信する。
【００２８】
表示制御装置１２は、映像無線送信装置１１から無線通信により送信されてくる映像を受信し、その映像に所定の処理を施して、表示デバイス１３に映像を表示させる。
【００２９】
表示デバイス１３は、例えば、CRT（Cathode Ray Tube）、液晶ディスプレイ（Liquid Crystal Display）、プラズマディスプレイ（Plasma Display Panel）、有機ELディスプレイ（Organic Light Emitting Diode）などからなり、表示制御装置１２が受信した映像を表示する。
【００３０】
映像無線送信装置１１と表示制御装置１２との無線通信において使用される通信プロトコルとしては、例えば、ワイヤレスUSB（Universal Serial Bus）がある。
【００３１】
ワイヤレスUSBは、無線部分である物理層とUSB部分である論理層からなり、物理層には、UWB（Ultra Wide Band）が採用されている。また、ワイヤレスUSBでは、アイソクロナス転送により映像が送受信される。
【００３２】
ワイヤレスUSBの規格では、65.536msで送信されるデータのブロックが、データ転送の１単位（スーパーフレーム）と定義されている。また、１スーパーフレームは、１６のセクションと呼ばれる単位（1セクション＝4.096ms、1スーパーフレーム＝16セクション）で構成されており、１セクションは、256μsのMAS（Media Access Slot）が連続した16MASから構成されている。
【００３３】
また、ワイヤレスUSBの規格では、１スーパーフレームの中で、データ転送に必要な帯域を確保することとなっているとともに、無線によるデータ損失またはデータ不正の発生を考慮して、データ転送に必要な帯域のうちの30％以上の帯域を、１スーパーフレームの中で、余分に確保することとなっている。そして、データを受信する側において１つ１つのMASについてエラーチェックが行われ、エラーがあったMASが再送されるようになっている。
【００３４】
表示制御装置１２は、通信アンテナ２１、無線通信部２２、無線制御部２３、誤り検出カウンタ２４、映像デコード部２５、デジタル信号処理部２６、およびデバイス制御部２７から構成される。
【００３５】
通信アンテナ２１は、映像無線送信装置１１との無線通信において利用されるアンテナである。
【００３６】
無線通信部２２は、ワイヤレスUSBを構成する物理層に対応し、通信アンテナ２１を介して、映像無線送信装置１１と無線通信を行う。
【００３７】
例えば、無線通信部２２は、映像無線送信装置１１から無線通信により送信されてきた映像を受信し、無線制御部２３に供給する。なお、映像無線送信装置１１は、ワイヤレスUSBのプロトコルに基づくMASごとに分割された映像を送信し、無線通信部２２は、映像無線送信装置１１から送信されてくるMASごとの映像を受信して無線制御部２３に供給する。また、無線通信部２２は、無線制御部２３の制御に基づいて、映像無線送信装置１１に、映像の再送の要求を送信する。
【００３８】
無線制御部２３は、ワイヤレスUSBを構成する論理層に対応し、映像無線送信装置１１との通信において、表示制御装置１２を構成する各部を制御する。
【００３９】
また、無線制御部２３は、バッファ２３Ａを有し、無線通信部２２から供給される映像を、バッファ２３Ａに一時的に記憶させる。そして、無線制御部２３は、バッファ２３Ａに記憶された映像を、適宜読み出し、映像デコード部２５に供給する。
【００４０】
さらに、無線制御部２３は、バッファ２３Ａに記憶された映像に基づき、通信エラーが発生したか否かを判定する。即ち、無線制御部２３は、バッファ２３Ａに記憶された映像を、ワイヤレスUSBのプロトコルに基づくMASごとにチェックし、映像無線送信装置１１と無線通信部２２との間の通信エラーにより、無線通信部２２が正常に受信することができなかったか映像があるか否か、例えば、無線通信部２２が、その一部が欠落している映像を受信したか否かを判定する。
【００４１】
具体的には、映像無線送信装置１１から送信されてくる映像には、エラーチェックに用いられるCRC（Cyclic Redundancy Check）コードが含まれており、無線制御部２３は、バッファ２３Ａに記憶された映像を、CRCコードを用いてチェックし、そのチェック結果に基づいて、通信エラーが発生したか否かを判定する。
【００４２】
そして、無線制御部２３は、例えば、通信エラーが発生していないと判定された場合、バッファ２３Ａに記憶された映像を映像デコード部２５に供給する。一方、無線制御部２３は、通信エラーが発生したと判定された場合、無線通信部２２を制御し、通信エラーが発生した映像、即ち、通信エラーにより無線通信部２２が正常に受信することができなかったか映像の再送を要求するとともに、検出カウンタ２４のカウント値を、１だけインクリメントさせる。
【００４３】
誤り検出カウンタ２４は、無線制御部２３の制御に応じて、そのカウント値をインクリメントすることで、映像無線送信装置１１に再送を要求した回数をカウントする。
【００４４】
映像デコード部２５には、無線制御部２３から映像が供給される。上述したように、映像無線送信装置１１から送信されてくる映像は、MPEG(Moving Picture Experts Group)などの所定の方式でエンコードされており、映像デコード部２５は、映像がエンコードされている方式に対応した方式で、映像をデコード（復号）する。映像デコード部２５は、デコードされた映像をデジタル信号処理部２６に供給する。
【００４５】
デジタル信号処理部２６は、表示デバイス１３に表示される映像が最適なものとなるように、映像デコード部２５から供給された映像に所定の信号処理を施し、信号処理が施された映像を、デバイス制御部２７に供給する。
【００４６】
デバイス制御部２７は、表示デバイス１３を制御して、表示デバイス１３に映像を表示させる。即ち、デバイス制御部２７は、デジタル信号処理部２６から供給された映像を、表示デバイス１３に供給して、表示デバイス１３の図示しないバッファに書き込み、その映像を表示デバイス１３に表示させる。
【００４７】
また、デバイス制御部２７は、映像無線送信装置１１に再送を要求した要求頻度、即ち、所定の単位時間ごとの誤り検出カウンタ２４のカウント値が、あらかじめ設定されている閾値以上である否かを判定する。
【００４８】
そして、デバイス制御部２７は、所定の単位時間ごとのカウント値が閾値以上になったと判定すると、表示デバイス１３の表示の輝度を制限する制御をする。即ち、デバイス制御部２７は、例えば、表示デバイス１３にブランキングレベルの信号を表示させ、あるいは、映像の表示を停止させる。
【００４９】
また、デバイス制御部２７は、所定の単位時間ごとのカウント値が閾値以上でないと判定すると、そのときに映像の表示の輝度が制限されていれば、その表示の輝度の制限を解除し、デジタル信号処理部２６から供給された映像を、表示デバイス１３に表示させる。
【００５０】
以上のように構成される表示制御装置１２では、映像無線送信装置１１と無線通信部２２との間の通信エラーに応じて、映像無線送信装置１１に映像の再送が要求され、映像の再送が要求された頻度に基づいて、表示デバイス１３の表示の輝度を制限する制御が行われる。
【００５１】
次に、図２は、図１の表示制御装置１２において行われる処理を説明するフローチャートである。
【００５２】
図１の映像無線送信装置１１から無線通信により映像が送信されてくると、ステップＳ１１において、無線通信部２２は、通信アンテナ２１を介して、映像無線送信装置１１から送信されてきた映像を受信する。無線通信部２２は、映像無線送信装置１１からの映像を無線制御部２３に供給し、ステップＳ１２に進む。
【００５３】
ステップＳ１２において、無線制御部２３は、無線通信部２２から供給された映像の通信エラーをチェックして、ステップＳ１３に進み、無線制御部２３は、ステップＳ１２でのチェック結果に基づき、通信エラーが発生したか否かを判定する。
【００５４】
ステップＳ１３において、無線制御部２３が、通信エラーが発生していないと判定した場合、無線制御部２３は、無線通信部２２から供給された映像を映像デコード部２５に供給する。
【００５５】
ステップＳ１３の処理後、ステップＳ１４に進み、映像デコード部２５は、無線制御部２３から供給された映像をデコードし、デコードされた映像をデジタル信号処理部２６に供給して、ステップＳ１５に進む。
【００５６】
ステップＳ１５において、デジタル信号処理部２６は、映像デコード部２５から供給された映像に対して所定の信号処理を施し、信号処理が施された映像をデバイス制御部２７に供給して、ステップＳ１６に進む。
【００５７】
ステップＳ１６において、デバイス制御部２７は、映像デコード部２５から供給された映像を表示デバイス１３に表示させ、ステップＳ１１に戻り、以下、同様の処理が繰り返される。
【００５８】
一方、ステップＳ１３において、無線制御部２３が、通信エラーが発生したと判定した場合、ステップＳ１７に進み、無線制御部２３は、通信エラーにより無線通信部２２が正常に受信することができなかった映像の再送を要求するように無線通信部２２を制御する。無線通信部２２は、通信アンテナ２１を介して、映像無線送信装置１１に、映像の再送の要求を送信し、ステップＳ１８に進む。
【００５９】
ステップＳ１８において、無線制御部２３は、誤り検出カウンタ２４のカウント値を１だけインクリメントして、ステップＳ１１に戻り、以下、同様の処理が繰り返される。なお、誤り検出カウンタ２４のカウント値は、後述する図３のフローチャートで説明する処理で利用される。
【００６０】
次に、図３は、図１のデバイス制御部２７が、誤り検出カウンタ２４のカウント値に基づいて行う処理を説明するフローチャートである。
【００６１】
映像無線送信装置１１と無線通信部２２との無線通信の開始に応じて、処理が開始され、ステップＳ２１において、デバイス制御部２７は、所定の単位時間が経過したか否かを判定し、所定の単位時間が経過するまで待機する。
【００６２】
ステップＳ２１において、所定の単位時間が経過したと判定された場合、ステップＳ２２に進み、デバイス制御部２７は、誤り検出カウンタ２４のカウント値を参照し、そのカウント値が、あらかじめ設定されている閾値以上であるか否かを判定する。
【００６３】
即ち、ステップＳ２１およびＳ２２において、デバイス制御部２７は、映像無線送信装置１１に再送を要求した頻度が、所定の閾値以上であるか否かを判定する。
【００６４】
ステップＳ２２において、デバイス制御部２７が、誤り検出カウンタ２４のカウント値が、あらかじめ設定されている閾値以上であると判定した場合、即ち、短時間に、多くの再送が要求され、映像無線送信装置１１によって、映像の再送が行われても、映像デコード部２５でのデコード、ひいては、表示デバイス１３での表示に間に合わない可能性が極めて高い場合、ステップＳ２３に進む。
【００６５】
ステップＳ２３において、デバイス制御部２７は、表示デバイス１３の表示の輝度を制限する制御として、映像の表示を停止させる制御を行い、ステップＳ２５に進む。なお、例えば、表示デバイス１３の表示の輝度が既に制限されている場合には、デバイス制御部２７は、ステップＳ２３をスキップして、ステップＳ２５に進む。
【００６６】
一方、ステップＳ２２において、デバイス制御部２７が、誤り検出カウンタ２４のカウント値が、あらかじめ設定されている閾値以上でないと判定した場合、即ち、短時間に、多くの再送の要求がされていない場合、ステップＳ２４に進む。
【００６７】
ステップＳ２４において、無線制御部２３は、表示デバイス１３の表示の輝度が制限されている場合には、表示デバイス１３の表示の輝度の制限を解除する制御を行い、これにより、表示デバイス１３において、映像デコード部２５から供給される映像が表示されるようにして、ステップＳ２５に進む。なお、表示デバイス１３の表示の輝度が制限されていない場合には、デバイス制御部２７は、ステップＳ２４をスキップして、ステップＳ２５に進む。
【００６８】
ステップＳ２５において、デバイス制御部２７は、誤り検出カウンタ２４をクリアして、例えば、誤り検出カウンタ２４のカウント値を０にして、ステップＳ２１に戻り、以下、同様の処理が繰り返される。
【００６９】
以上のように、映像無線送信装置１１に再送を要求した頻度が高いときには、即ち、短時間に多くの映像の再送が要求され、再送されてくる映像の表示デバイス１３での表示が間に合わない可能性が極めて高いときには、表示デバイス１３の表示の輝度が制限されるので、表示デバイス１３に同一の映像が表示され続けることが回避され、表示デバイス１３の画面の焼き付きを防止することができる。
【００７０】
即ち、表示デバイス１３は、例えば、図示しないバッファを有し、そのバッファに書き込みされた映像を表示する。従って、再送の要求が頻繁に行われ、映像の再送が、その映像の表示に間に合わない場合には、表示デバイス１３が有するバッファの書き換えが行われず、その結果、表示デバイス１３は、バッファに記憶された同一の映像を表示し続ける。
【００７１】
そこで、上述のように、映像無線送信装置１１に再送を要求した頻度が高いときに、表示デバイス１３の表示の輝度を制限することにより、表示デバイス１３の画面の焼き付きを防止することができる。
【００７２】
また、そのような表示により表示デバイス１３において無駄な電力が消費されていたが、表示デバイス１３の表示の輝度を制限することにより、同一の映像が表示し続けられることによる無駄な電力の消費を抑制することができる。
【００７３】
なお、デバイス制御部２７は、表示デバイス１３の表示の輝度を制限する制御として、その他、例えば、表示デバイス１３の輝度を低減させることができる。例えば、表示デバイス１３が、液晶ディスプレイなどのようにバックライトを有したデバイスであれば、表示デバイス１３の表示の輝度を制限する制御として、そのバックライトの光量を低減させる制御や、バックライトを消灯させる制御を行うことができる。
【００７４】
このように、表示デバイス１３の輝度を低減させることにより、例えば、表示デバイス１３が液晶ディスプレイであれば、そのバックライトの寿命を延ばすことができる。また、例えば、表示デバイス１３が自発光するデバイスであれば、表示デバイス１３自身の寿命を延ばすことができる。
【００７５】
なお、例えば、図３のフローチャートで説明した処理においては、デバイス制御部２７は、映像無線送信装置１１に再送を要求した頻度に基づいて、映像の表示の輝度を制限したが、デバイス制御部２７は、映像の表示の輝度を制限する代わりに、表示デバイス１３にスクリーンセーバを表示させてもよい。
【００７６】
即ち、図４は、図１のデバイス制御部２７が、表示デバイス１３にスクリーンセーバを表示させる処理を説明するフローチャートである。
【００７７】
図４のステップＳ３１，Ｓ３２、またはＳ３５において、デバイス制御部２７は、図３のステップＳ２１，Ｓ２２、またはＳ２５における処理と同様の処理を実行し、図４のステップＳ３３またはＳ３４において、デバイス制御部２７は、図３のステップＳ２３またはＳ２４と異なる処理を実行する。
【００７８】
即ち、ステップＳ３２において、デバイス制御部２７が、誤り検出カウンタ２４のカウント値が、あらかじめ設定されている閾値以上であると判定した場合、ステップＳ３３に進み、デバイス制御部２７は、表示デバイス１３を制御し、その画面にスクリーンセーバを表示させ、ステップＳ３５に進む。なお、表示デバイス１３がスクリーンセーバを既に表示している場合には、デバイス制御部２７は、ステップＳ３３をスキップして、ステップＳ３５に進む。
【００７９】
一方、ステップＳ３２において、デバイス制御部２７が、誤り検出カウンタ２４のカウント値が、あらかじめ設定されている閾値以上でないと判定した場合、ステップＳ３４に進み、表示デバイス１３がスクリーンセーバを表示していれば、デバイス制御部２７は、表示デバイス１３を制御し、スクリーンセーバの表示を解除し、映像デコード部２５から供給される映像を表示デバイス１３に表示させ、ステップＳ３５に進む。なお、表示デバイス１３がスクリーンセーバを表示していない場合には、デバイス制御部２７は、ステップＳ３４をスキップして、ステップＳ３５に進む。
【００８０】
以上のように、映像無線送信装置１１に再送を要求した頻度が高いときに、表示デバイス１３にスクリーンセーバを表示させることによっても、表示デバイス１３の画面の焼き付きを防止することができる。
【００８１】
なお、無線制御部２３は、映像無線送信装置１１に再送を要求したときにだけ、誤り検出カウンタ２４のカウント値をインクリメントするのでなく、例えば、無線制御部２３が有するバッファ２３Ａの記憶容量を超えた映像が送信されてきて、バッファ２３Ａに記憶されている映像のうちの最も古い映像が破棄された場合、即ち、バッファオーバーランエラーが発生したときにも、誤り検出カウンタ２４のカウント値をインクリメントするようにしてもよい。
【００８２】
ところで、無線制御部２３は、無線通信部２２が受信した映像を、ワイヤレスUSBのプロトコルに基づくMASごとにチェックし、通信エラーが発生していなければ、ワイヤレスUSBのプロトコルに基づく転送の単位を分解して、映像を映像デコード部２５に供給する。即ち、映像デコード部２５には、映像無線送信装置１１がワイヤレスUSBのプロトコルに基づく転送の単位に分割する前の映像、即ち、例えば、MPEGなどの所定の方式でエンコードされた映像が供給される。
【００８３】
そして、映像デコード部２５は、無線制御部２３から供給された映像をデコードするにあたり、映像がエンコードされている方式で規定されているエラーのチェック方法に従って、映像のエラーをチェックする。映像デコード部２５が、映像のエラーをチェックすることにより、映像を構成するフレームのうちの幾つかのフレームが時系列的に欠落したことによるエラー、いわゆるビットストリーム上のエラーが検出される。このビットストリーム上のエラーが発生すると、表示デバイス１３は、欠落したフレームの直前のフレームに対応する映像を表示し続けることになる。
【００８４】
そこで、表示制御装置１２は、映像無線送信装置１１から送信されてきた映像のビットストリーム上のエラーに基づいて、表示デバイス１３の表示の輝度を制限したり、表示デバイス１３にスクリーンセーバを表示させたりすることで、表示デバイス１３が同一の映像を表示し続けることを回避させることができる。
【００８５】
即ち、図５は、本発明を適用した映像表示システムの他の実施の形態の構成例を示すブロック図である。
【００８６】
図５において、映像表示システムは、映像無線送信装置１１、表示デバイス１３、および表示制御装置５１から構成される。映像無線送信装置１１および表示デバイス１３は、図１と同様に構成されており、その説明は省略する。
【００８７】
また、表示制御装置５１を構成する各部のうち、図１の表示制御装置１２と共通する部分については、同一の符号を付しており、以下では、その説明を適宜省略する。即ち、表示制御装置５１は、通信アンテナ２１、無線通信部２２、誤り検出カウンタ２４、デジタル信号処理部２６、およびデバイス制御部２７が設けられている点で、図１の表示制御装置１２と共通する。但し、表示制御装置５１は、表示制御装置１２の無線通信部２２および映像デコード部２５に代えて、無線制御部５２および映像デコード部５３が設けられている点で、表示制御装置１２と異なる。
【００８８】
図５の無線制御部５２は、バッファ５２Ａを有しており、図１の無線制御部２３と同様に、ワイヤレスUSBのプロトコルに基づいて検出された通信エラーに応じて、通信エラーが発生した映像の再送を要求するとともに、検出カウンタ２４のカウント値を、１だけインクリメントする。さらに、無線制御部５２は、映像デコード部５３によるエラーのチェック結果に応じて、無線通信部２２を制御し、エラーが発生していた映像の再送を要求させるとともに、検出カウンタ２４のカウント値を、１だけインクリメントする。
【００８９】
映像デコード部５３は、無線制御部５２から供給された映像のビットストリーム上のエラーをチェックし、ビットストリーム上のエラーが発生していれば、その旨を無線制御部５２に通知する。
【００９０】
即ち、例えば、映像無線送信装置１１がMPEGでエンコードされている映像を送信し、その映像が、通信アンテナ２１、無線通信部２２、および無線制御部５２を介して、映像デコード部５３に供給され、映像デコード部５３が、MPEGでエンコードされている映像をデコードするにあたり、映像デコード部５３は、MPEGに従って所定の位置に配置されているCRCコードを用いて、ビットストリーム上のエラーをチェックする。
【００９１】
次に、図６は、図５の表示制御装置５１において行われる処理を説明するフローチャートである。
【００９２】
図６のステップＳ４１乃至Ｓ４３において、表示制御装置５１では、図２のステップＳ１１乃至Ｓ１３と同様の処理が実行され、図６のステップＳ４６乃至Ｓ５０において、表示制御装置５１では、図２のステップＳ１４乃至１８と同様の処理が実行される。即ち、図６のフローチャートは、ステップＳ４４およびＳ４５の処理が追加されている点で、図２のフローチャートと異なる。
【００９３】
無線制御部５２が、ステップＳ４３で通信エラーが発生していないと判定して、無線通信部２２から供給された映像を映像デコード部５３に供給すると、ステップＳ４４において、映像デコード部５３は、無線制御部５２から供給された映像のビットストリーム上のエラーをチェックする。
【００９４】
ステップＳ４４の処理後、ステップＳ４５に進み、映像デコード部５３は、ステップＳ４４でのチェック結果に基づき、ビットストリーム上のエラーがあったか否かを判定する。
【００９５】
ステップＳ４５において、ビットストリーム上のエラーがなかったと判定された場合、ステップＳ４６に進み、図２のステップＳ１４と同様に、映像デコード部５３は、無線制御部５２から供給された映像をデコードする。
【００９６】
一方、ステップＳ４５において、ビットストリーム上のエラーがあったと判定された場合、映像デコード部５３は、ビットストリーム上のエラーがあった旨を無線制御部５２に通知して、ステップＳ４９に進む。
【００９７】
ステップＳ４９において、無線制御部５２は、図２のステップＳ１７と同様に、エラーがあった映像の再送を要求するように無線通信部２２を制御し、ステップＳ５０において、無線制御部５２は、図２のステップＳ１８と同様に、誤り検出カウンタ２４のカウント値をインクリメントする。
【００９８】
以上のように、ビットストリーム上のエラーに基づいて、映像の再送が要求されるとともに、誤り検出カウンタ２４のカウント値がインクリメントされるので、ビットストリーム上にエラーにも基づいて、図３のフローチャートを参照して説明した処理と同様に、表示デバイス１３の表示の輝度が制限される。または、ビットストリーム上のエラーにも基づいて、図４のフローチャートを参照して説明した処理と同様に、表示デバイス１３にスクリーンセーバが表示される。
【００９９】
従って、ビットストリーム上にエラーがあった場合においても、表示デバイス１３が同一の映像を表示し続けることが回避されるので、表示デバイス１３の画面の焼き付きを防止することができる。また、表示デバイス１３の表示の輝度を制限することで、表示デバイス１３が無駄な電力を消費することを防止することができる。
【０１００】
なお、本実施の形態においては、映像無線送信装置１１と表示制御装置１２または５１とは、ワイヤレスUSBを用いて映像を転送しているが、ワイヤレスUSB以外の双方向通信が可能なネットワーキングプロトコル、例えば、TCP/IP（Transmission Control Protocol/Internet Protocol）を用いて映像を転送してもよい。
【０１０１】
例えば、映像の転送にTCP/IPが用いられる場合においては、再送リクエストの送信をトリガとして、誤り検出カウンタ２４のカウント値をインクリメントすることで、映像の転送にワイヤレスUSBが用いられている場合と同様の処理を行うことができる。
【０１０２】
また、映像ストリーミング配信の用途で用いられているUDP（User Datagram Protocol）は、映像の再送を制御する手段を有していないが、FCS(Frame Check Sequence)によりパケットのエラーを確認する確認手段を有している。映像の転送にUDPが用いられる場合においては、FCSのエラーの検出をトリガとして、誤り検出カウンタ２４のカウント値をインクリメントすることができる。
【０１０３】
なお、例えば、全画面の映像を解析して、同一の映像が一定時間表示されている場合に、映像の表示を停止したり、スクリーンセーバを表示させるときにおいては、全画面の映像を解析する手段が必要であるとともに、その手段が処理を行うことにより電力が消費される。
【０１０４】
これに対し、映像無線送信装置１１に再送を要求した要求頻度に基づいて、デバイス制御部２７が、映像の表示の輝度を制限したり、スクリーンセーバを表示させるときにおいては、全画面の映像を解析する手段は不要であり、また、そのような手段により電力が消費されることも回避される。
【０１０５】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１０６】
図７は、上述した一連の処理をプログラムにより実行するコンピュータの構成の例を示すブロック図である。CPU（Central Processing Unit）１０１は、ROM（Read Only Memory）１０２、または記憶部１０８に記憶されているプログラムに従って各種の処理を実行する。RAM（Random Access Memory）１０３には、CPU１０１が実行するプログラムやデータなどが適宜記憶される。これらのCPU１０１、ROM１０２、およびRAM１０３は、バス１０４により相互に接続されている。
【０１０７】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【０１０８】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【０１０９】
また、通信部１０９を介してプログラムを取得し、記憶部１０８に記憶してもよい。
【０１１０】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【０１１１】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。
【０１１２】
また、本発明の実施の形態は、上述した実施の形態に限定されるものではなく、本発明の要旨を逸脱しない範囲において種々の変更が可能である。
【図面の簡単な説明】
【０１１３】
【図１】本発明を適用した映像表示システムの一実施の形態の構成例を示すブロック図である。
【図２】表示制御装置１２において行われる処理を説明するフローチャートである。
【図３】デバイス制御部２７が行う処理を説明するフローチャートである。
【図４】デバイス制御部２７が表示デバイス１３にスクリーンセーバを表示させる処理を説明するフローチャートである。
【図５】本発明を適用した映像表示システムの他の実施の形態の構成例を示すブロック図である。
【図６】表示制御装置５１において行われる処理を説明するフローチャートである。
【図７】一連の処理をプログラムにより実行するコンピュータの構成の例を示すブロック図である。
【符号の説明】
【０１１４】
１１  映像無線送信装置，  １２  表示制御装置，  １３  表示デバイス，  ２１  通信アンテナ，  ２２  無線通信部，  ２３  無線制御部，  ２３Ａ  バッファ，  ２４  誤り検出カウンタ，  ２５  映像デコード部，  ２６  デジタル信号処理部，  ２７  デバイス制御部，  ５１  表示制御装置，  ５２  無線制御部，  ５２Ａ  バッファ，  ５３  映像デコード部
【図１】
2008009108.tif 000003
【図２】
2008009108.tif 000004
【図３】
2008009108.tif 000005
【図４】
2008009108.tif 000006
【図５】
2008009108.tif 000007
【図６】
2008009108.tif 000008
【図７】
2008009108.tif 000009